(57)【要約】【課題】  操作プレートの第２のスイッチ（回路基板外）を操作する部分の半田熱による変形の防止が、コスト安にできるようにする。【解決手段】  回路基板５８に実装されない第２のスイッチを操作するための操作部７５を有する操作プレート７３を、回路基板５８とは別体として、ケース５４に装着した。これにより、回路基板５８に実装した部品の半田付けを行う折り、操作プレート７３を除いた状態で、その半田付けができ、操作プレート７３の半田熱による変形の防止が、従来のもののような回路基板の延長部分（遮熱部）、並びにその部分のその後の取除き作業を要することなく、コスト安にできる。【選択図】  図１
2006164844.tif 000002
【特許請求の範囲】
【請求項１】
電気機器の運転に係る操作を行うための第１のスイッチを実装した回路基板と、
この回路基板に実装されない第２のスイッチと、
前記回路基板を保持すると共に、前記第２のスイッチを保持するケースと、
前記第２のスイッチを操作するための操作部を有する操作プレートとを具備し、
その操作プレートを、前記回路基板とは別体として、前記ケースに装着して成ることを特徴とする電気機器のコントロール装置。
【請求項２】
第２のスイッチを操作するための操作部を有する操作プレートを第２の操作プレートとして具え、第１のスイッチを操作するための操作部を有する操作プレートを第１の操作プレートとして具えて、これら第１及び第２の操作プレートを一体としたことを特徴とする請求項１記載の電気機器のコントロール装置。
【請求項３】
回路基板が電気機器の運転に係る表示を行う表示器をも実装し、その表示器用の反射部を有するリフレクタを具えて、このリフレクタと操作プレートとを一体としたことを特徴とする請求項１又は２記載の電気機器のコントロール装置。
【請求項４】
リフレクタと操作プレートとの一体物をほゞ中央部にてケースに固定したことを特徴とする請求項３記載の電気機器のコントロール装置。
【発明の詳細な説明】
【技術分野】
【０００１】
本発明は、スイッチを操作するための構造を改良した電気機器のコントロール装置に関する。
【背景技術】
【０００２】
従来より、電気機器、例えば洗濯機においては、それの運転をコントロールするためのコントロール装置が具えられている。
図１１は、そのものの従来構造を示しており、ケース１に、回路基板２が収容されて図示しない係合部等により保持されている。この回路基板２には、洗濯機の運転に係る操作を行うための第１のスイッチ３が複数（１つのみ図示）実装され、同運転に係る表示を行う表示器等（図示せず）も実装されている。
【０００３】
又、ケース１には、回路基板２を保持した室４とは別に室５が隔壁６により隔絶されて設けられ、この室５に、回路基板２に実装されない第２のスイッチ７が収容されて保持されている。なお、回路基板２に実装された前記第１のスイッチ３が、例えば電源の「切」用で、例えばタクトスイッチであるのに対し、回路基板２に実装されない第２のスイッチ７は、例えば電源の「入」用であり、電源回路の電流が流れるのに対応する例えばマイクロスイッチである。
【０００４】
そして、回路基板２には、操作プレート８が取付爪９や図示しないねじ等によって装着されている。この操作プレート８は、第１のスイッチ３から第２のスイッチ７を上方より覆っており、その第１のスイッチ３上に、該第１のスイッチ３を操作するための操作部１０を、弾性アーム部１０ａにより連結して一体に有し、第２のスイッチ７上に、該第２のスイッチ７を操作するための操作部１１を、同じく弾性アーム部１１ａにより連結して一体に有している。
【０００５】
そのほか、ケース１の、回路基板２を保持した室４には、回路基板２を合成樹脂で埋めるポッティング（図示せず）を施している。
以上の構成で、図示しない操作パネル上から操作部１１を押圧操作することにより、第２のスイッチ７が作動し、操作部１０を押圧操作することにより、第１のスイッチ３が作動するようになっている。
【特許文献１】特開２０００−３７５９６号公報
【発明の開示】
【発明が解決しようとする課題】
【０００６】
上記従来のものの場合、回路基板２に実装した部品の半田付けを行う必要があり、それは、製造工程の合理化のため、図１２に示すように、回路基板２に、第１のスイッチ３や表示器等を初めとした部品（第１のスイッチ３以外の部品は図示せず）が仮付けされると共に、操作プレート８が装着された状態で、回路基板２の裏側を図示しない半田槽に溜めた溶融半田に漬けることによって行われる。
【０００７】
従って、そのときには、操作プレート８の操作部１１以外の部分の下方には、第１のスイッチ３及び表示器等を初めとした部品や回路基板２が存在するも、操作部１１の下方には何も（第２のスイッチ７も）存在しない。このため、操作プレート８の操作部１１以外の部分は、前記半田槽の半田の熱Ｔが回路基板２によって遮断されるも、操作部１１部分はその半田の熱Ｔを遮断するものがなく、その熱Ｔによって操作プレート８の操作部１１部分が変形を起こす可能性がある（操作プレート８の操作部１１部分が変形を起こせば、操作部１１による第２のスイッチ７の操作が精度良くできなくなる）。
【０００８】
そこで、従来においては、図１３に示すように、操作プレート８の操作部１１部分の下方に、回路基板２を延長して遮熱用の部分１２を設け、これにより上記半田付け時における、半田からの操作プレート８の操作部１１部分の遮熱をし、半田付け後にその延長部分１２を取除いて、第２のスイッチ７が組み込まれたケース１に組み付けることが行われている。
このため、回路基板２には上記遮熱用の部分１２を延長して設ける必要があり、更に、半田付け後にはその部分１２を取除く作業を行う必要があって、コスト高になるという問題点を有していた。
【０００９】
本発明は上述の事情に鑑みてなされたものであり、従ってその目的は、操作プレートの第２のスイッチを操作する部分の半田熱による変形の防止が、コスト安にできる電気機器のコントロール装置を提供するにある。
【課題を解決するための手段】
【００１０】
上記目的を達成するために、本発明の電気機器のコントロール装置においては、電気機器の運転に係る操作を行うための第１のスイッチを実装した回路基板と、この回路基板に実装されない第２のスイッチと、前記回路基板を保持すると共に、前記第２のスイッチを保持するケースと、前記第２のスイッチを操作するための操作部を有する操作プレートとを具備し、その操作プレートを、前記回路基板とは別体として、前記ケースに装着して成ることを特徴とする。
【発明の効果】
【００１１】
上記手段によれば、回路基板に実装した部品の半田付けを行う折り、第２のスイッチを操作するための操作部を有する操作プレートを除いた状態で、その半田付けができ、第２のスイッチを操作するための操作部を有する操作プレートの半田熱による変形の防止が、従来のもののような回路基板の延長部分（遮熱部）、並びにその部分のその後の取除き作業を要することなく、コスト安にできる。
【発明を実施するための最良の形態】
【００１２】
以下、本発明の第１実施例（第１の実施形態）につき、図１ないし図６を参照して説明する。
まず、図２には、電気機器の一例として洗濯機を正面視して表しており、外箱２１の前面中央部に扉２２を有し、上部に操作パネル２３と洗剤投入容器２４とを横に並べて有している。又、外箱２１の前面の下部には下部カバー２５を有している。
【００１３】
操作パネル２３の裏側には、コントロール装置２６を配置しており、このコントロール装置２６は、洗濯機の運転を使用者がコントロールするためのもので、各種操作の受け付けや、各種表示をするようになっており、操作パネル２３はそのための操作キーや表示部を有している。
【００１４】
図３は、操作パネル２３を詳細に表しており、電源「入」のための操作キー２７、電源「切」のための操作キー２８、「スタート／一時停止」のための操作キー２９、各種コース選択のための操作キー３０〜３３、各種行程選択のための操作キー３４〜３６、「ふろ水」ポンプ使用のための操作キー３７、「予約」のための操作キー３８を有し、そして、それらに関連する各種表示部３９〜５２を有している。
【００１５】
一方、下部カバー２５の裏側には、運転制御装置５３を配置しており、この運転制御装置５３は、上記操作パネル２３からコントロール装置２６の操作結果を受けて洗濯機の運転を制御するようになっている。
そして、図１は、前記コントロール装置２６を詳細に表しており、ケース５４を外殻として有している。このケース５４は主体部５４ａが矩形状を成しており、それの図中右側の下部に図中右上がりの斜辺部５４ｂを有し、更に、その図中右側に矩形の小室部５４ｃを有している。
【００１６】
上記小室部５４ｃには、図４に示すように、室５５をケース５４における他の全部の室５６から隔壁５７により隔絶して外側に形成しており、他の全部の室５６には回路基板５８を配置し保持している。この回路基板５８には、第１のスイッチ５９を実装しており、そのほか、多数のスイッチ（図示せず）を実装している。回路基板５８に実装したそれらのスイッチは、前記操作パネル２３の操作キー２８〜３８にそれぞれ対応するもので、例えばタクトスイッチであり、そのうちの特に第１のスイッチ５９は、前記電源「切」のための操作キー２８と対応している。
【００１７】
そのほか、回路基板５８には、図１に示すように、多数の表示器であるＬＥＤ６０と、複数の同じく表示器であるデジタル表示器６１とを実装しており、これらは前記操作パネル２３の表示部３９〜５２にそれぞれ対応している。
更に、回路基板５８には、この場合、２つの操作プレート６２，６３をともに図示しない取付爪やねじ等によって装着している。この操作プレート６２，６３は、回路基板５８に実装した前記第１のスイッチ５９を除く多数のスイッチの直前位置に、それぞれ操作部６４，６５を有しており、これらによって、それら多数のスイッチの押圧操作が、操作パネル２３の操作キー２８〜３８から操作部６４，６５を介してなされるようにしている。
【００１８】
加えて、操作プレート６２，６３は、前記ＬＥＤ６０用の各反射部６６，６７を有するリフレクタ６８，６９と一体としている。
なお、図１には、ケース５４に形成したコントロール装置２６取付け用の複数の取付部７０をも示している。
【００１９】
一方、ケース５４の前記小室部５４ｃにおける室５５には、図４に示すように、第２のスイッチ７１を収容して保持している。従って、この第２のスイッチ７１は、前記回路基板５８に実装されないもので、例えばマイクロスイッチであり、前記操作パネル２３の電源「入」のための操作キー２７と対応している。
【００２０】
そして、前記第１のスイッチ５９と上記第２のスイッチ７１の前方（図４では上方）位置には、前記操作プレート６２，６３及び回路基板５８とは別体の操作プレート７２，７３を配置している。ここで、操作プレート７２は第１のスイッチ５９と対応しており、従って、第１の操作プレートである。これに対して、操作プレート７３は第２のスイッチ７１と対応しており、従って、第２の操作プレートであり、これらは例えばプラスチックにより一体に形成している。
【００２１】
しかして、第１の操作プレート７２は、第１のスイッチ５９の直前（図４では直上）位置に、操作部７４を弾性アーム部７４ａにより連結して一体に有しており、他方、第２の操作プレート７３は、第２のスイッチ７１の直前（これも図４では直上）位置に、操作部７５を同じく弾性アーム部７５ａにより連結して一体に有していて、これらにより、それら第１及び第２のスイッチ５９，７１の押圧操作が、前記操作パネル２３の操作キー２８，２７から操作部７４，７５を介してなされるようにしている。
【００２２】
又、第１及第２の操作プレート７２，７３（一体物）は、図５及図６に示すように、上部に係合部として取付爪７６とねじ挿通孔７７とを有し、下部にねじ込み穴７８を有していて、そのうちの取付爪７６をケース５４に係合させ、ねじ込み孔７８にケース５４のねじ挿通孔７９からねじ込むねじ８０によってケース５４に装着している。
【００２３】
更に、ねじ挿通孔７７にケース５４のねじ挿通孔８１から挿通するねじ（図示せず）と、前記取付部７０に挿通するねじ（これも図示せず）とによって、ケース５４、ひいてはコントロール装置２６の全体を操作パネル２３に装着している。従って、ねじ挿通孔７７にケース５４のねじ挿通孔８１から挿通するねじは、第１及第２の操作プレート７２，７３を共締めしてケース５４に装着させている。
なお、第２のスイッチ７１は、図１及び図６に示すように、接続部８２をケース５４外及び第２の操作プレート７３の後方位置外に突出させて有しており、この接続部８１にリード線８３を接続している。
【００２４】
さて、上述のごとく構成したものの場合、回路基板５８に実装した部品（第１のスイッチ５９を初めとした多数のスイッチや多数のＬＥＤ６０及び複数のデジタル表示器６１）の半田付けを行うには、従来同様に、回路基板５８に、それらの部品を仮付けすると共に、操作プレート６２，６３を装着した状態で、回路基板５８の裏側を図示しない半田槽に溜めた溶融半田に漬けることによって行う。
【００２５】
このとき、上述のごとく構成したものにおいては、第２のスイッチ７１を操作するための操作部７５を有する操作プレート（第２の操作プレート）７３を、上記回路基板５８に装着した操作プレート６２，６３及び回路基板５８とは別体として、ケース５４に装着するようにしており、従って、その操作プレート７３を除いた状態で、半田付けができる。
これにより、第２のスイッチ７１を操作するための操作部７５を有する操作プレート７３の半田熱による変形の防止が、従来のもののような回路基板２の延長部分（遮熱部）１２、並びにその部分のその後の取除き作業を要することなくできるものであり、もってコスト安にできる。
【００２６】
加えて、上述のごとく構成したものおいては、上記第２のスイッチ７１を操作するための操作部７５を有する操作プレート７３を第２の操作プレートとして具え、第１のスイッチ５９を操作するための操作部７４を有する操作プレート７２を第１の操作プレートとして具えて、これら第１及び第２の操作プレート７２，７３を一体としている。
【００２７】
これにより、回路基板５８に実装した部品の半田付けを行う折りに、上記操作プレート（第２の操作プレート）７３だけでなく、操作プレート（第１の操作プレート）７２をも除いた状態で、半田付けができるようになるので、半田熱の影響が操作プレート７２にも及ぶことのないようにできて、該操作プレート７２の熱変形の問題も生じなくなり、もって、操作部７５による第２のスイッチ７１の操作が精度良くできるようになるだけでなく、操作部７４による第１のスイッチ５９の操作も精度良くできるようになる。
【００２８】
以上に対して、図７ないし図１０は本発明の第２ないし第４実施例（第２ないし第４の実施形態）を示すもので、第１実施例と同一の部分には同一の符号を付して説明を省略し、異なる部分についてのみ述べる。
［第２実施例］
図７に示す第２実施例においては、操作プレート７３に、操作プレート７２を一体とするだけでなく、前記操作プレート６２と一体としたリフレクタ６８とも一体としている。
【００２９】
これにより、回路基板５８に実装した部品の半田付けを行う折りに、リフレクタ６８（操作プレート６２）をも除いた状態で、半田付けができるようになるので、半田熱の影響がリフレクタ６８にも及ぶことのないようにできて、該リフレクタ６８の熱変形の問題も生じなくなり、もって、操作部７５による第２のスイッチ７１の操作が精度良くできるようになるだけでなく、リフレクタ６８によるＬＥＤ６０の反射も精度良くできるようになる。
【００３０】
なお、この場合、リフレクタ６８は操作プレート６２と一体であるから、回路基板５８に実装した部品の半田付けを行う折りに、操作プレート６２をも除いた状態で、半田付けができるようになるので、半田熱の影響が操作プレート６２にも及ぶことのないようにできて、該操作プレート６２の熱変形の問題も生じなくなり、もって、操作部６４による、回路基板５８に実装したスイッチの操作も精度良くできるようになる。
【００３１】
［第３実施例］
図８に示す第３実施例においては、上述の操作プレート７３（操作プレート７２）とリフレクタ６８（操作プレート６２）との一体物を、ほゞ中央部にて、固定部材としてのねじ９１によりケース５４に固定している。
【００３２】
このようにすることにより、広大化した操作プレート７３とリフレクタ６８との一体物で懸念される、それの周囲部から中央部にかけての凹みや膨らみの変形を、矯正することができて、操作部７５（操作部７４）による第２のスイッチ７１（第１のスイッチ５９）の操作を一層精度良くできるようになると共に、リフレクタ６８によるＬＥＤ６０の反射（操作部６４による、回路基板５８に実装したスイッチの操作）も一層精度良くできるようになる。
【００３３】
［第４実施例］
図９及び図１０に示す第４実施例においては、ケース５４の上部と下部とのそれぞれ外側にレール部１０１を形成し、操作プレート７３（操作プレート７２）の上部と下部とのそれぞれ内側に溝部１０２を形成して、この溝部１０２をレール部１０１に横方向から嵌合させて摺動させることにより、ケース５４に操作プレート７３を装着するようにしている。
【００３４】
このようにすることにより、ケース５４、特には第２のスイッチ７１部分と、操作プレート７３との関係位置精度が上がるので、操作部７５（操作部７４）による第２のスイッチ７１（第１のスイッチ５９）の操作を更に精度良くできるようになる。
なお、この第４実施例構造は、第２実施例構造及び第３実施例構造で実施するようにしても良い。
また、ケース５４に対する操作プレート７３の装着は、前記取付爪（係合部）７６による係合のみで行うようにしても良く、ねじ締めのみで行うようにしても良い。
【００３５】
このほか、本発明は上記し且つ図面に示した実施例にのみ限定されるものではなく、特に電気機器しては洗濯機以外の、コントロール装置を要する何ものであっても良いなど、要旨を逸脱しない範囲内で適宜変更して実施し得る。
【図面の簡単な説明】
【００３６】
【図１】本発明の第１実施例を示すコントロール装置単体の正面図
【図２】洗濯機（電気機器）全体の正面図
【図３】操作パネル単体の正面図
【図４】図１のＡ−Ａ線に沿う拡大断面図
【図５】図１のＢ−Ｂ線に沿う拡大断面図
【図６】図１のＣ−Ｃ線に沿う拡大断面図
【図７】本発明の第２実施例を示す図１相当図
【図８】本発明の第３実施例を示す図１相当図
【図９】本発明の第４実施例を示す図１相当図
【図１０】図９のＤ−Ｄ線に沿う拡大断面図
【図１１】従来例を示す図４相当図
【図１２】半田付け時の問題状態を説明するための図１１部分相当図
【図１３】半田付け時の対策状態を説明するための図１１部分相当図
【符号の説明】
【００３７】
図面中、２６はコントロール装置、５４はケース、５８は回路基板、５９は第１のスイッチ、６０はＬＥＤ（表示器）、６６は反射部、６８はリフレクタ、７１は第２のスイッチ、７２は操作プレート（第１の操作プレート）、７３は操作プレート（第２の操作プレート）、７４，７５は操作部、９１はねじ（固定部材）を示す。
【図１】
2006164844.tif 000003
【図２】
2006164844.tif 000004
【図３】
2006164844.tif 000005
【図４】
2006164844.tif 000006
【図５】
2006164844.tif 000007
【図６】
2006164844.tif 000008
【図７】
2006164844.tif 000009
【図８】
2006164844.tif 000010
【図９】
2006164844.tif 000011
【図１０】
2006164844.tif 000012
【図１１】
2006164844.tif 000013
【図１２】
2006164844.tif 000014
【図１３】
2006164844.tif 000015